(57)【特許請求の範囲】
【請求項１】
口部を有する容器本体と、当該容器本体の口部を取り囲む外筒壁を有して口部に固定される注出栓と、当該注出栓の上方に配置される天壁を有して注出栓の外筒壁に着脱可能に螺合する外筒壁が垂下して注出栓の収納空間を形成する蓋体と、当該蓋体の外筒壁を取り囲んで上下に移動可能なスライダとを有し、
スライダ及び蓋体の外筒壁にそれぞれ、互いに周方向に拘束されることで、スライダを回転させることなく上下に移動させる、凹凸形状の案内手段を設け、
注出栓の外筒壁にフランジ部を設け、
当該フランジ部及びスライダにそれぞれ、該スライダを蓋体に対して下げたときには、互いに周方向に突き当たって係合することで、蓋体の回転を阻止する一方、該スライダを蓋体に対して引き上げたときには、互いに周方向に突き当たることなく、蓋体の回転を許容する、凹凸形状の回転操作手段を設け、
更に、スライダに、破断可能な連結片を介して蓋体に接触して蓋体に対する上昇を阻止するストッパを設けたことを特徴とする蓋体付き注出容器。
【請求項２】
請求項１において、スライダに、蓋体の外筒壁の下方を通って当該蓋体の外筒壁と注出栓の外筒壁との間に形成された隙間に配置される延長部を設け、
当該延長部と蓋体の外筒壁にそれぞれ、互いに上下方向に係合することで、スライダの当該蓋体からの脱落を防止する突起からなる脱落防止手段を設けたことを特徴とする蓋体付き注出容器。
【発明の詳細な説明】
【技術分野】
【０００１】
本発明は、蓋体を操作しても簡単に開けられないように構成された安全キャップ（チャイルドプループ）に、不正防止機構を設けた蓋体付き注出容器に関するものである。
【背景技術】
【０００２】
近年の蓋体付き注出容器としては、いわゆるチャイルドプルーフ（レジスタンス）と呼ばれる機能を付加したものがあり、出願人は既に、容器の頚部に蓋体を係止する爪を設け、蓋体の開放を容器の弾性変形によって可能にすると共に、蓋体を取り囲むように、バージンベルトを設けることで、蓋体を操作しても簡単に開けられないようにしたものを提案済みである（例えば、特許文献１参照）。
【先行技術文献】
【特許文献】
【０００３】
【特許文献１】特開昭５９−１０６３５２号公報
【発明の概要】
【発明が解決しようとする課題】
【０００４】
上記の蓋体付き注出容器は基本的に、バージンベルトを外す工程と、容器の係止爪を径方向内側に押し込んで容器に対する係止を解除する工程と、容器に対する係止を解除した後に蓋体を緩める工程との３つ工程を経ることで、蓋体を取り外すことができる。
【０００５】
しかしながら、こうした蓋体付き注出容器の場合、容器の剛性が高くて変形させ難いときには不向きである。
【０００６】
本発明の目的とするところは、容器の材質に制約を受けることなく、簡単な操作では開封できないように構成された、新規な蓋体付き注出容器を提供することにある。
【課題を解決するための手段】
【０００７】
本発明は、口部を有する容器本体と、当該容器本体の口部を取り囲む外筒壁を有して口部に固定される注出栓と、当該注出栓の上方に配置される天壁を有して注出栓の外筒壁に着脱可能に螺合する外筒壁が垂下して注出栓の収納空間を形成する蓋体と、当該蓋体の外筒壁を取り囲んで上下に移動可能なスライダとを有し、
スライダ及び蓋体の外筒壁にそれぞれ、互いに周方向に拘束されることで、スライダを回転させることなく上下に移動させる、凹凸形状の案内手段を設け、
注出栓の外筒壁にフランジ部を設け、
当該フランジ部及びスライダにそれぞれ、該スライダを蓋体に対して下げたときには、互いに周方向に突き当たって係合することで、蓋体の回転を阻止する一方、該スライダを蓋体に対して引き上げたときには、互いに周方向に突き当たることなく、蓋体の回転を許容する、凹凸形状の回転操作手段を設け、
更に、スライダに、破断可能な連結片を介して蓋体に接触して蓋体に対する上昇を阻止するストッパを設けたことを特徴とするものである。
【０００９】
また、スライダに、蓋体の外筒壁の下方を通って当該蓋体の外筒壁と注出栓の外筒壁との間に形成された隙間に配置される延長部を設け、当該延長部と蓋体の外筒壁にそれぞれ、互いに上下方向に係合することで、当該蓋体からの脱落を防止する突起からなる脱落防止手段を設けることができる。
【００１０】
凹凸形状としては、凸形状と凹形状の組み合わせによるものに限定されることなく、例えば、外歯及び内歯の組合せによるもの等を採用することができる。
【００１１】
また、回転防止手段、案内手段及び回転操作手段はそれぞれ、少なくとも１組の凹凸部で構成することができる。更に、脱落防止手段も、少なくとも一方を環状の突起とすれば、他方の突起は、周方向に局所的に設けられた突起とすることができる。
【００１２】
ストッパも、板状の部材は勿論、棒状の部材も採用することができる。また、連結片は、複数設けることができる。更に、連結片は、ストッパ１８の下端全体を連結する薄肉片とすることもできる。
【発明の効果】
【００１３】
本発明では、蓋体とスライダとの間に介在するストッパを取り外す工程と、スライダを蓋体に向かって引き上げる工程と、スライダを引き上げた状態で蓋体を容器本体の口部周りに回して緩める工程との３つ工程を経ることで、蓋体を取り外すことができる。
【００１４】
即ち、本発明によれば、容器を弾性変形させることなく、蓋体を簡単な操作で取り外せないようにすることができる。このため、本発明によれば、容器の材質に制約を受けることなく、蓋体が簡単に開くことを防止することができる。
【図面の簡単な説明】
【００１５】
【図１】本発明の一形態である、蓋体付き洗剤容器の要部を示す斜視図である。
【図２】図１のＡ−Ａ断面図である。
【図３】図２のＢ−Ｂ断面図である。
【図４】図２のＣ−Ｃ断面図である。
【図５】同形態に係る蓋体を取り外すときの第１工程であって、ストッパを外した状態を示す要部断面図である。
【図６】同蓋体を取り外すときの第２工程であって、スライダを引き上げた状態を示す要部断面図である。
【図７】同蓋体を取り外すときの第３工程であって、蓋体を緩めて取り外した状態を示す要部断面図である。
【発明を実施するための形態】
【００１６】
以下、図面を参照して、本発明の一形態である、蓋体付き洗剤容器を詳細に説明する。
【００１７】
符号１は、合成樹脂製の容器本体（以下、「容器本体」）である。容器本体１は、胴部２に肩部３を介して口部４が一体に設けられたボトル型の容器である。口部４は筒状をなして、胴部２の内側には、肩部３と共に形作られた空間Ｒ1が形成されている。空間Ｒ1には、内容物としての液体洗剤等の内容物が充填されている。
【００１８】
符号５は、口部４に固定される合成樹脂製の注出栓である。注出栓５は、口部４を取り囲む外筒壁６を有して口部４の内周面４ａに密着する内筒壁８と共に口部４に固定される。
【００１９】
詳細には、注出栓５は、口部４を取り囲む外筒壁６を有し、この外筒壁６の下端部内周面には、環状のリブ６ｒが設けられている。リブ６ｒは、口部４の外周面に設けられた環状のリブ４ｒに引っ掛かって、注出栓５を上下方向に抜け止め保持する。
【００２０】
また、口部４と、注出栓５の外筒壁６には、口部４に対する注出栓５の回転を阻止する回転防止手段Ｄ1が設けられている。
【００２１】
回転防止手段Ｄ1は、複数の凹凸部からなり、口部４の上端部外周面に全周に亘って、周方向に間隔を置いて設けられた複数の外歯４ｔと、外筒壁６の上端部内周面に全周に亘って、周方向に間隔を置いて設けられた複数の内歯６ｔで構成される。外歯４ｔ及び内歯６ｔは、互いに周方向（中心軸線Ｏ回りの方向）に突き当たって係合することで、口部４に対して注出栓５を周方向に回転することなく回り止めする。
【００２２】
内筒壁８は、口部４の上端に配置される環状壁７を介して外筒壁６と共に一体に垂下する。これにより、内筒壁８は、口部４の内側を通って口部４の内周面４ａに密着し、口部４との密閉性を確保する。
【００２３】
内筒壁８の内側には、仕切壁９を介して注出筒１０が設けられている。注出筒１０の内側には、容器本体１の空間Ｒ1を外界に通じさせる注出路１０ａが形作られている。更に、仕切壁９及び注出筒１０には、注出路１０ａを外界に通じさせるスリット１０ｂが形成されている。
【００２４】
符号１１は、合成樹脂製の蓋体である。蓋体１１は、いわゆるスクリューキャップである。蓋体１１は、注出栓５の上方に配置される天壁１２を有して注出栓５の外筒壁６に着脱可能に螺合する外筒壁１３と共に内筒壁１４が一体に垂下して注出栓５の収納空間Ｒ2を形成する。
【００２５】
詳細には、注出栓５の外筒壁６におねじ部６ｓを形成し、蓋体１１の外筒壁１３にめねじ部１３ｓを形成し、これにより、蓋体１１を注出栓５に対して着脱させることができる。また、内筒壁１４は、注出栓５の内筒壁８の内側を通って内筒壁８の内周面８ａに密着し、収納空間Ｒ2内の密閉性を確保する。なお、本発明に従えば、外筒壁６にめねじ部を形成し、外筒壁１３におねじ部を形成することで、蓋体１１を注出栓５に対して着脱させることも可能である。
【００２６】
符号１５は、蓋体１１の外筒壁１３を取り囲む筒状をなし、その内側で中心軸線Ｏに沿って上下に移動可能な合成樹脂製のスライダである。
【００２７】
スライダ１５と、蓋体１１の外筒壁１３には、スライダ１５を回転させることなく上下に移動させる案内手段Ｄ2が設けられている。
【００２８】
案内手段Ｄ2は、複数の凹凸部からなり、外筒壁１３の下端部外周面に全周に亘って、周方向に間隔を置いて設けられた複数の外歯１３ｔと、スライダ１５の下端部内周面に全周に亘って、周方向に間隔を置いて設けられた複数の内歯１５ｔで構成される。外歯１３ｔ及び内歯１５ｔは、互いに周方向（中心軸線Ｏ回りの方向）に突き当たって拘束されることで、蓋体１１に対してスライダ１５を回転させることなく、上下に移動させることができる。
【００２９】
また、スライダ１５の内周面には、蓋体１１の外筒壁１３の下方を通って当該外筒壁１３と注出栓５の外筒壁６との間に形成された隙間Ｓに配置される環状の延長部１６が設けられている。
【００３０】
延長部１６と蓋体１１の外筒壁１３には、蓋体１１からのスライダ１５の脱落を防止する脱落防止手段Ｄ3が設けられている。
【００３１】
脱落防止手段Ｄ3は、環状の突起からなり、延長部１６の上端部外周面に全周に亘って設けられた環状の突起１６ｐと、蓋体１１の外筒壁１３の下端部内周面に全周に亘って設けられた環状の突起１３ｐで構成される。突起１６ｐ及び突起１３ｐは、互いに上下方向に引っ掛かって係合することで、スライダ１５が蓋体１１から脱落することを防止する。なお、本発明に従えば、突起１３ｐ及び突起１６ｐは、周方向に間隔を置いて設けられた複数の突起で構成することも可能である。
【００３２】
符号１７は、注出栓５の外筒壁６に設けた環状のフランジ部である。フランジ部１７は、外筒壁６の下端部外周面に一体に設けられている。
【００３３】
フランジ部１７と、スライダ１５には、蓋体１１を開閉するための回転操作手段Ｄ4が設けられている。
【００３４】
回転操作手段Ｄ4は、凹凸部からなり、スライダ１５の下端部内周面に全周に亘って、周方向に間隔を置いて設けられた複数の内歯１５ｇと、フランジ部１７の下端部外周面に全周に亘って、周方向に間隔を置いて設けられた複数の外歯１７ｇで構成される。内歯１５ｇ及び外歯１７ｇは、図５等に示すように、蓋体１１に対して下げたときには、互いに周方向に突き当たって係合することで、注出栓５に対する蓋体１１の回転を阻止する一方、図６に示すように、蓋体１１に対して引き上げたときには、互いに周方向に突き当たることなく、注出栓５に対する蓋体１１の回転を許容する。
【００３５】
符号１８は、スライダ１５の上昇を阻止するストッパである。ストッパ１８は、スライダ１５と同様の板状の部材であり、薄肉の連結片１９を介して、スライダ１５の上端面１５ａに対して破断可能に一体に連結されている。蓋体１１の天壁１２の外周縁１２ａは、外筒壁１３の外側に形成された環状フランジとしてなり、ストッパ１８は、図２に示すように、外周縁１２ａの下端面１２ｆに接触して蓋体１１に対する上昇を阻止する。
【００３６】
更にストッパ１８には、摘み２０が一体に設けられている。これにより、摘み２０を持って引っ張れば、ストッパ１８を容易に切り離すことができる。
【００３７】
次に、蓋体１１を取り外すための操作について説明する。
【００３８】
未使用の状態では、図２に示すように、内歯１５ｇ及び外歯１７ｇは、互いに係合することで、注出栓５に対する蓋体１１の回転を阻止する。これにより、未使用の状態では、蓋体１１の操作が不可能になって、蓋体１１を取り外すことができない。
【００３９】
加えて、ストッパ１８がスライダ１５の上昇を阻止しているから、スライダ１５を引き上げることもできない。従って、蓋体１１の取り外しは、確実に防止されることになる。また、ストッパ１８の有無により、未使用状態を視認することができる。
【００４０】
蓋体１１を取り外すに際しては、次のような操作を行う。先ず、蓋体１１とスライダ１５との間に介在するストッパ１８を取り外す。例えば、使用者は、摘み２０を持ってストッパ１８を外側に引っ張る。これにより、ストッパ１０は、図５に示すように、連結片１９が切断されることで、スライダ１５から切り離される。
【００４１】
次いで、スライダ１５を把持して蓋体１１の天壁１２に向かって引き上げる。これにより、内歯１５ｇ及び外歯１７ｇは、図６に示すように、互いの係合が解除されることで、周方向に突き当たることなく、注出栓５に対する蓋体１１の回転を許容する。
【００４２】
次いで、スライダ１５を引き上げた状態のまま、蓋体１１を注出栓５周りに回して緩める。これにより、蓋体１１は、図７に示すように、容器本体１から取り外すことができる。
【００４３】
逆に蓋体１１を取り付けるときは、注出栓５に載せて回転させれば、内歯１５ｇ及び外歯１７ｇが互いに突き当たって係合するまで、注出栓５にねじ込むことができる。これにより、再び注出栓５に対する蓋体１１の回転を阻止することができる。
【００４４】
このように本形態では、蓋体１１とスライダ１５との間に介在するストッパ１８を取り外す工程と、スライダ１５を蓋体１１の天壁１２に向かって引き上げる工程と、スライダ１５を引き上げた状態で蓋体１１を容器本体１の口部４周りに回して緩める工程との３つ工程を経ることで、蓋体１１を取り外すことができる。
【００４５】
即ち、本形態によれば、容器本体１を弾性変形させることなく、蓋体１１を簡単な操作で取り外せないようにすることができる。このため、本形態によれば、容器本体１の材質に制約を受けることなく、蓋体１１が簡単に開くことを防止することができる。
【００４６】
また、本形態のように、スライダ１５及び蓋体１１の外筒壁１３にそれぞれ、案内手段Ｄ2を設ければ、蓋体１１に対してスライダ１５を回転させることなく、上下に移動させることができる。この場合、ストッパ１８がずれることで、連結片１９が誤って切断されることがない。
【００４７】
また、本形態のように、スライダ１５に、蓋体１１の外筒壁１３の下方を通って隙間Ｓに配置される延長部１６を設け、この延長部１６と蓋体１１の外筒壁１３にそれぞれ、当該蓋体１１からの脱落を防止する脱落防止手段Ｄ3を設ければ、スライダ１５が蓋体１１から脱落することを防止できる。
【００４８】
上述したところは、本発明の一形態を示したにすぎず、特許請求の範囲において、種々の変更を加えることができる。例えば、外歯や内歯の断面形状は、本形態のようなスプライン状のものに限定されることなく、セレーション状のもの等を採用することができる。
【００４９】
また、回転防止手段Ｄ1、案内手段Ｄ2及び回転操作手段Ｄ4はそれぞれ、少なくとも１組の凹凸部で構成することができる。更に、脱落防止手段Ｄ3も、１３ｐ及び１６ｐの少なくとも一方を環状の突起とすれば、他方の突起は、周方向に局所的に設けられた突起とすることができる。
【００５０】
ストッパ１８は、板状の部材に限定されることなく、棒状部材を採用することができる。また、連結片１９は、複数設けることができる。更に、連結片１９は、ストッパ１８の下端全体を連結する薄肉片とすることもできる。
【産業上の利用可能性】
【００５１】
本発明は、蓋体を操作しても簡単に開けられない安全キャップ（チャイルドプループ）付きの容器に、不正防止機構を設けるものであれば、洗剤、薬剤等の様々な内容物を充填・注出する容器に適用することができる。
【符号の説明】
【００５２】
１      容器本体
２      胴部
３      肩部
４      口部
４ｔ    外歯（回転防止手段）
５      注出栓
６      注出栓外筒壁
６ｔ    内歯（回転防止手段）
７      注出栓環状壁
８      注出栓内筒壁
１１    蓋体
１２    天壁
１３    外筒壁
１３ｐ  環状突起（脱落防止手段）
１３ｔ  外歯（案内手段）
１５    スライダ
１５ｇ  内歯（回転操作手段）
１５ｔ  内歯（案内手段）
１６    延長部
１６ｐ  環状突起（脱落防止手段）
１７    フランジ部
１７ｇ  外歯（回転操作手段）
１８    ストッパ
１９    連結片
２０    摘み
Ｄ1     回転防止手段
Ｄ2     案内手段
Ｄ3     脱落防止手段
Ｄ4     回転操作手段
【図１】
0005681033.tif 000002
【図２】
0005681033.tif 000003
【図３】
0005681033.tif 000004
【図４】
0005681033.tif 000005
【図５】
0005681033.tif 000006
【図６】
0005681033.tif 000007
【図７】
0005681033.tif 000008